(57)【特許請求の範囲】
【請求項１】
コンピュータ上で動作する応用プログラムに日本語を入力する仮名漢字変換式の日本語入力システム（ＪＩＳＸ４０６４で規定されるシステム、または、それに準じるシステム）であって、
仮名入力モード（全角平仮名または全角片仮名入力モード）、半角英数入力モードまたは全角英数入力モード等の入力モードを切り替える際に、切替えられた入力モードの番号を検出する入力モード切替え検出部と、
検出された入力モード番号信号により各入力モードの番号別に予め設定された電子音（ピッ、ピッピッまたはピッピッピッ等でありコンピュータの利用者がどの入力モードに切り替わったかを認識できる電子音）の音声ファイルを駆動させる、入力モード別の電子音源及び音源起動部、
を組み込んだシステム。
電子音で区別する入力モードの分類数および各入力モード別の電子音の種類は、あくまで、一例であって、入力モードとそれぞれの電子音の組合せは、自由に設定できるものとする。
【発明の詳細な説明】
【技術分野】
【０００１】
本発明は、入力モード表示用アイコンを見なくても、電子音を聞くことにより、どの入力モードに入ったかを認識できる日本語入力システムに関するものである。
【背景技術】
【０００２】
コンピュータ上で動作する応用プログラムに日本語を入力する仮名漢字変換式の日本語入力システムには、仮名入力モードと英数入力モードがある。仮名交じり漢字と英語が混在する文章を入力する場合、仮名入力モードと英数入力モードを頻繁に切替えなければならない。その場合、利用者は入力モードを常に把握しておかなければ誤入力する結果になる。また、利用者自身が、入力中に、誤って全角英数入力モード切替え用に使うCaps Lockキーを押し、知らないうちに全角英数入力モードに入ってしまうこともある。また、ウェブブラウザを使ってインターネット上で文字列検索を始めようとしても、現在、仮名入力モードなのか英数入力モードなのか分からなくなることがある。日本語入力システムの入力モードは、通常、コンピュータの画面右下に配置している言語バー上の入力モードアイコンを見ればわかるが、コンピュータ画面では、視線をその都度右下に移動させると作業効率も悪くなるし、精神的なストレスの原因にもなる。そのため、利用者は入力モードが分からなくなっても、アイコンを見ずに実際に入力して判断することがある。その場合、入力モードが間違っていると、入力したものを削除して再入力するなどの無駄な作業をすることになる。
【先行技術文献】
【非特許文献】
【０００３】
【非特許文献１】仮名漢字変換システムの基本機能  ＪＩＳＸ４０６４：２００２
【発明の概要】
【発明が解決しようとする課題】
【０００４】
解決しようとする問題点は、コンピュータで日本語入力システムを使って入力作業をする場合、入力モードの確認には、通常、画面右下に配置している言語バー上の入力モードアイコンを見ればよいが、コンピュータ画面では、視線をその都度右下に移動させるのでは、作業効率も悪くなるし精神的なストレスの原因にもなる。そのため、コンピュータの利用者は、アイコンを見ずに、実際に入力して判断する人が多い。特に、コンピュータの熟練者にその傾向が強い。その結果、入力モードが間違っていれば、入力したものを削除し再入力するなどの無駄な作業をすることになる。
【課題を解決するための手段】
【０００５】
本発明は、日本語入力システムの入力モードが切り替わるたびに、予め設定された各入力モード別の電子音（ピッ、ピッピッまたはピッピッピッ）を出し、電子音の種類により、コンピュータの利用者が、日本語入力システムがどの入力モードに入ったかを認識できることを最も主要な特徴とする。
【発明の効果】
【０００６】
本発明の日本語入力システムでは、コンピュータの利用者は、画面の右下にある入力モード用のアイコンを見なくても、電子音で入力モードが認識できるので、入力作業中に視線を移動させる必要がなく、また、誤ってCaps Lockキー（全角英数モード用キー）を押した場合でも、電子音を聞いて判断できるので、作業性の向上だけでなく、コンピュータの利用者にとって精神的な安心感を与えるられるという利点がある。仮に、入力モード切替え時に、何らかの理由で電子音を聞き逃しても、再度、「漢字」キーを、一回または二回押して、その電子音により入力モードを確認することもできる。少なくとも、間違って入力し、削除し再入力するという作業よりは、はるかに楽である。
【図面の簡単な説明】
【０００７】
【図１】図１は、入力モード切替え時に電子音を出す日本語入力システムの動作を示す説明図である。
【発明を実施するための形態】
【０００８】
仮名漢字変換式日本語入力システムに、入力モードが切り替わるたびに各入力モード別の電子音（ピッ、ピッピッまたはピッピッピッ）を出す機能を付加すれば、モード切替えの度に入力モードアイコンを見なくても、コンピュータの利用者が、日本語入力システムが、どの入力モードに入ったかを認識できることを実現した。
【０００９】
図１において、コンピュータ１にインストールされ、応用プログラムなどに日本語を入力する日本語入力システム２は、ＪＩＳＸ４０６４で規定される仮名漢字変換式の日本語入力システム、または、それに準じるシステムであるが、別途、「入力モード切替え検出部」４と「入力モード別の電子音源及び音源起動部」５を組み込んだものである。コンピュータの利用者３が、日本語入力システムの入力モードの切替えキーを押したら、「入力モード切替え検出部」４で、どのモードになったかを検出し、入力モード番号（１〜３のうちの一つ）を、番号信号として、「入力モード別の電子音源及び音源起動部」５に送り、その番号信号に対し、予め設定された音源（音声ファイル）を起動し、その電子音信号を、コンピュータのスピーカ用駆動回路６に送り、スピーカ７で電子音を出す。しかし、これは、あくまで動作説明用であり、実際に電子音を出すには、例えば、上記で設定された音声ファイルを用意し、Ｃ言語等の開発用言語で、ＡＰＩ関数である「PlaySound」を実行すれば、自動的に、コンピュータのスピーカから電子音が出てくるので、わざわざ、電子音信号を、スピーカ用駆動回路６とスピーカ７に接続する必要はない。電子音用の音声ファイルは、WAV形式等とし、市販の音声ファイル編集ソフトを使って、各入力モード番号（１〜３）に相当する電子音（ピッツ、ピッツピッツおよびピッツピッツピッツ）発生用として、３種類、事前に作成しておく必要がある。
【００１０】
表１に、入力モード別の操作内容および電子音の例を示す。表１の入力モードと電子音の関係は、あくまで、１例に過ぎない。この発明は、入力モードの切り替えを電子音で認識することが特徴であり、組合せは自由に変えてもよい。また、コンピュータがスピーカを内蔵していない場合は、コンピュータの音声出力端子にイヤフォンをつなげば電子音を聞くことができる。
【実施例１】
【００１１】
表２の実施例１の場合、図１において、コンピュータの利用者３は、まず、「漢字」キーを押す。すると、入力モードが、表１の仮名入力モード（番号１）になり、「入力モード切替え検出部」４は、仮名入力モード（番号１）を検出し、「入力モード別電子音源及び音源起動部」５に番号信号（番号１）を送る。５は、番号１の音声ファイルを起動して、その電子音信号（ピッツ）を、スピーカ用駆動回路６に送り、スピーカ７から電子音を出す。コンピュータの利用者は、この電子音により、入力モードが仮名入力モードに切り替わったことを認識できるので、「かれの」と入力する。「漢字」キーは、半角／全角切替えキーとして使われているので、再度、「漢字」キーを押すと、入力モードが、表１の半角英数入力モード（番号２）になり、「入力モード切替え検出部」４は、半角英数入力モード（番号２）を検出し、「入力モード別電子音及び源音源起動部」５に番号信号（番号２）を送る。５は、番号２の音声ファイルを起動して、その電子音信号（ピッツピッツ）を、スピーカ用駆動回路６に送り、スピーカ７から電子音を出す。コンピュータの利用者３は、この電子音により、入力モードが半角英数入力モードに切り替わったことを認識し、「level」と入力する。次に、再度、「漢字」キーを押す。すると、入力モードが、表１の仮名入力モード（番号１）になり、「入力モード切替え検出部」４は、仮名入力モード（番号１）を検出し、「入力モード別電子音源及び音源起動部」５に番号信号（番号１）を送る。５は、番号１の音声ファイルを起動して、その電子音信号（ピッツ）を、スピーカ用駆動回路６に送り、スピーカ７から電子音を出す。コンピュータの利用者３は、この電子音により、入力モードが仮名入力モード切り替わったことを確認し、「はたかい」と入力する。最後に、「変換」キーを押す。
【実施例２】
【００１２】
表２の実施例２の場合、図１において、コンピュータの利用者３は、まず、「漢字」キーを押す。すると、入力モードが、表１の仮名入力モード（番号１）になり、「入力モード切替え検出部」４は、仮名入力モード（番号１）を検出し、「入力モード別電子音源及び音源起動部」５に番号信号（番号１）を送る。５は、番号１の音声ファイルを起動して、その電子音信号（ピッツ）を、スピーカ用駆動部６に送り、スピーカ７から電子音を出す。コンピュータの利用者３は、この電子音により、入力モードが仮名入力モードに切り替わったことを確認し、「おもさ１００」と入力する。次に、「Caps Lock（英数）」キーを押すと、入力モードが、表１の全角英数入力モード（番号３）になり、「入力モード切替え検出部」４は、全角英数入力モード（番号３）を検出し、「入力モード別電子音源及び音源起動部」５に番号信号（番号３）を送る。５は、番号３の音声ファイルを起動して、その電子音信号（ピッツピッツピッツ）を、スピーカ用駆動回路６に送り、スピーカ７から電子音を出す。コンピュータの利用者３は、この電子音により、入力モードが全角英数入力モードに切り替わったことを確認し、「ｔｏｎ」と入力する。ここで入力は終わるが、全角英数入力モードでは仮名漢字変換ができないので、再度、「Caps Lock（英数）」キーを押す。すると、入力モードが、表１の仮名入力モード（番号１）になり、入力モード切替え検出部４は、仮名入力モード（番号１）を検出し、「入力モード別電子音源及び音源起動部」５に番号信号（番号１）を送る。５は、番号１の音声ファイルを起動して、その電子音信号（ピッツ）を、スピーカ用駆動回路６に送り、スピーカ７から電子音を出す。コンピュータの利用者３は、この電子音により、入力モードが仮名入力モードに切り替わったことを確認し、最後に、「変換」キーを押す。
【００１３】
作業環境によっては、電子音を出せない場合もあると思うので、電子音をオフに設定できる論理キーを、別途、本発明の日本語入力システムに装備しておくことも重要である。
【００１４】
【表１】
0006319541.tif 000002
【００１５】
【表２】
0006319541.tif 000003
【符号の説明】
【００１６】
１    コンピュータ
２    コンピュータ上にインストールされた日本語入力システム
３    コンピュータの利用者
４    入力モード切替え検出部
５    入力モード別の電子音源及び音源起動部
６    スピーカ用駆動回路
７    スピーカ
【図１】
0006319541.tif 000004